(57)【要約】      （修正有）【課題】整髪時のヘアーブラシの持ち方や整髪動作の多様性に十分に対応できるヘアーブラシを提供する。【解決手段】植毛部１aと把手部１cとからなるブラシ本体１の植毛部１aに、ブラシ毛２がその長手方向中央部２aの毛の長さを短尺にし、両端部２bの毛の長さを長尺にして凹状に湾曲させて植毛されて成るヘアーブラシにおいて、前記把手部１cが、植毛部１aの長手方向に沿う中心軸線１bに対して左右何れかに所要角度で折曲配設される。また、前記ブラシ毛２が、前記植毛部１aの中心軸線１bに直交する断面で、幅方向中央部の毛の長さを短尺にし、両端部の毛の長さを長尺にして凹状に湾曲させて植毛されるものから、左右方向の何れか一端部の毛の長さを短尺にし、他端部の毛の長さを長尺にして凹状に湾曲させて植毛される。【選択図】図１
2009201650.tif 000002
【特許請求の範囲】
【請求項１】
植毛部と把手部とからなるブラシ本体の植毛部に、ブラシ毛がその長手方向中央部の毛の長さを短尺にし、両端の毛の長さを長尺にして凹状に湾曲させて植毛されて成るヘアーブラシにおいて、
前記把手部が、植毛部の長手方向に沿う中心軸線に対して、左右何れかに所要角度で折曲配設されて成るヘアーブラシ。
【請求項２】
前記ブラシ毛が、前記植毛部の中心軸線に直交する断面で、左右方向中央部の毛の長さを短尺にし、両端の毛の長さを長尺にして凹状に湾曲させて植毛されて成る請求項１記載のヘアーブラシ。
【請求項３】
前記ブラシ毛が、前記植毛部の中心軸線と直交する断面で、左右方向の何れか一端の毛の長さを短尺にし、他端の毛の長さを長尺にして凹状に湾曲させて植毛されて成る請求項１記載のヘアーブラシ。
【発明の詳細な説明】
【技術分野】
【０００１】
本発明は、頭部の整髪に使用されるヘアーブラシに関する。
【背景技術】
【０００２】
一回のブラッシング動作で整髪できる範囲を広くし整髪を簡易にする目的で、ブラシ毛の先端をブラシ本体の植毛部の長手方向に沿って、その中央部を低く両端を高くして凹状に湾曲させて植毛して成るヘアーブラシが登録実用新案第３０１７２５１号（特許文献１）に提案されている。特許文献１に開示された技術はブラッシング動作を一面的に捉えたもので、整髪時のヘアーブラシの持ち方や整髪動作の多様性に対応させるには不十分である。
【特許文献１】登録実用新案第３０１７２５１号
【発明の開示】
【発明が解決しようとする課題】
【０００３】
本発明は上記に鑑みて、整髪時のヘアーブラシの持ち方や整髪動作の多様性に十分に対応できるヘアーブラシの提供をその目的とする。
【課題を解決するための手段】
【０００４】
上記目的を達成する本発明の請求項１に記載したヘアーブラシは、植毛部と把手部とからなるブラシ本体の植毛部に、ブラシ毛がその長手方向中央部の毛の長さを短尺にし、両端の毛の長さを長尺にして凹状に湾曲させて植毛されて成るヘアーブラシにおいて、
前記把手部が、植毛部の長手方向に沿う中心軸線に対して、左右何れかに所要角度で折曲配設されて成る。
請求項２に記載したヘアーブラシは、請求項１に記載したヘアーブラシにおいて、
前記ブラシ毛が前記植毛部の中心軸線に直交する断面で、左右方向中央部の毛の長さを短尺にし、両端の毛の長さを長尺にして凹状に湾曲させて植毛されて成る。
請求項３に記載したヘアーブラシは、請求項１に記載したヘアーブラシにおいて、
前記ブラシ毛が前記植毛部の中心軸線と直交する断面で、左右方向の何れか一端の毛の長さを短尺にし、他端の毛の長さを長尺にして凹状に湾曲させて植毛されて成る。
【発明の効果】
【０００５】
本発明のヘアーブラシによれば、把手部が植毛部に対して左右何れかに折曲されて配設されるから、左手操作、右手操作の何れにも対応できる使い勝手の良さに加え、植毛部の幅方向でブラシ毛を凹状に湾曲させて植毛するから、頭部の部位や毛髪の状況に応じて広範な整髪に対応できるなど多様性に優れたものである。
【発明を実施するための最良の形態】
【０００６】
植毛部と把手部とからなるブラシ本体の植毛部にブラシ毛を、植毛部の長手方向中央部の毛の長さを短くし、両端の毛の長さを長くして凹状に湾曲させて植毛されるヘアーブラシにおいて、植毛部に対して把手部を左右何れかに所要角度で折曲配設するものから、植毛部の左右の幅方向中心に対してブラシ毛の集合中心を左右何れかに偏心させて配設するなどである。また、ブラシ毛が植毛部の中心軸線に直交する断面で左右方向中央部の毛の長さを短くし、両端の毛の長さを長くして凹状に湾曲させて植毛されるものや、左右方向の何れか一端の毛の長さを短くし、他端の毛の長さを長くして凹状に湾曲させて植毛されるものも提供されるほか、植毛部の長手方向に沿って凹状に湾曲させて植毛する場合でも長手方向の何れか一端のブラシ毛の毛の長さを短くし、他端の毛の長さを長くして凹状に湾曲させて植毛することも挙げられる。
【実施例】
【０００７】
本発明を実施例により説明すると、図１に示すヘアーブラシＡは、ブラシ本体１の植毛部１aの幅方向の中心軸線１bに対して、把手部１cの幅方向の中心軸線１dを下方へ所要角度（一例として15°）で折曲した状態でブラシ本体１が形成され、その状態の植毛部１aのブラシ毛２は長手方向中央部２aの毛の長さを短くし、前後両端部２bの毛の長さを長くして凹状に湾曲させた植毛パターン３で植毛される。
このヘアーブラシＡは右利きの人にとって、把手部１cを右手に持って頭部の右半分から後頭部にかけて整髪するのに便利である。
【０００８】
図２に示すヘアーブラシＢは、ブラシ本体１の植毛部１aの幅方向の中心軸線１bに対して、把手部１cの幅方向の中心軸線１dを上方に所要角度（一例として15°）で折曲した状態でブラシ本体１が形成され、その状態の植毛部１aのブラシ毛２は長手方向中央部２aの毛の長さを短くし、前後両端部２bの毛の長さを長くして凹状に湾曲させた植毛パターン３で植毛される。
このヘアーブラシＢの場合は左利きの人が把手部１cを左手に持って頭部の左半分から後頭部にかけて整髪するのに便利である。
【０００９】
なお、前頭部の整髪には、ヘアーブラシＡの場合では左手に持って行なえば手首に無理がなく、ヘアーブラシＢの場合では右手に持って整髪すれば同じく手首に無理がなく整髪できる。
【００１０】
このようなことを総括すれば、ヘアーブラシＡの植毛部１aの上面にも下面におけるブラシ毛２と同様なブラシ毛（図外）を湾曲させて植毛すれば、一本のヘアーブラシでヘアーブラシＡとヘアーブラシＢを兼用できるものとなる。
【００１１】
次に、ヘアーブラシＡ、Ｂのブラシ毛２の植毛部１aにおける幅方向の植毛パターン４について説明すると、図３（ａ）では正面視が図１、２に示すような凹状に湾曲した植毛パターン３において、植毛部１aの幅方向中央部２cの毛の長さを短くし、左右両端部２dの毛の長さを長くして凹状に湾曲させて植毛したものであり、図３（ｂ）では植毛部１aの幅方向左方の端部２dの毛の長さを短くし、右方の端部２dの毛の長さを長くして右下がりに湾曲させて植毛したものであり、図３（c）では植毛部１aの幅方向右方の端部２dの毛の長さを短くし、左方の端部２dの毛の長さを長くして左下がりに湾曲させて植毛したものである。
図３（ａ）の植毛パターン４では頭部上面の幅方向形状に馴染んで整髪できるものであり、図３（ｂ）の植毛パターン４では頭部の右側の毛髪を左側へ渡し架けるような整髪に便利であり、図３（ｃ）の植毛パターン４では頭部の左側の毛髪を右側へ渡し架けるような整髪に便利となる。
【００１２】
図４に示すように植毛部１aの長手方向に他の植毛パターン５を設けたヘアーブラシについて説明すると、図４（ａ）のヘアーブラシＣはブラシ毛２の前端の毛の長さを短くし、後端の毛の長さを長くして後下がりに湾曲させて植毛したものであり、図４（ｂ）に示すヘアーブラシＤはブラシ毛２の前端の毛の長さを長くし、後端の毛の長さを短くして前下がりに湾曲させて植毛したものであり、前記のヘアーブラシＡ乃至Ｂにおける植毛パターン３と置換することにより、頭部の左半分や右半分或いは前頭部や後頭部での各整髪に対応できる。
このほか、図３（ｂ）、（ｃ）の植毛パターン４においても図４（ａ）、（ｂ）の植毛パターン５でブラシ毛２を植毛できる。
【００１３】
このように、植毛部１aにおける植毛パターン３、４、５は各種各様に提供される上、把手部１cの折曲配設と相俟って利き手に応じて使い分けできるとともに、頭部での整髪方向や整髪部位など多様な整髪に対応できる。
なお、本実施例で示したブラシ本体１の意匠的形態は単純なもので表現したが、各種各様の形態で実施され得る。
【産業上の利用可能性】
【００１４】
本発明のヘアーブラシは、整髪の使い勝手の良さと、頭髪の状況や頭髪の部位に応じて広範な整髪に対応できるから、個人的な需要は勿論のこと理美容業界での需要も期待できるほか、ヘアーブラシ製造業界の活性化にも資するものである。
【図面の簡単な説明】
【００１５】
【図１】本発明のヘアーブラシＡの平面と正面と右側面を表わす斜視図。
【図２】本発明のヘアーブラシＢの平面と正面と右側面を表わす斜視図。
【図３】ブラシ毛２の植毛部１aにおける幅方向の植毛パターンの説明図で、分図（ａ）は左右対称に湾曲させた植毛パターン４、分図（ｂ）は右下がりに湾曲させた植毛パターン４、分図（ｃ）は左下がりに湾曲させた植毛パターン４。
【図４】ヘアーブラシの他の実施態様の説明図で、分図（ａ）はブラシ毛２の図３（ａ）の植毛パターン４において、正面視後下がりに湾曲して植毛された植毛パターン５を有するヘアーブラシＣの正面図、分図（ｂ）はブラシ毛２の図３（ａ）の植毛パターン４において、正面視前下がりに湾曲して植毛された植毛パターン５を有するヘアーブラシＤの正面図。
【符号の説明】
【００１６】
１：ブラシ本体
１a：植毛部
１b：中心軸線
１c：把手部
１d：中心軸線
２：ブラシ毛
２a：長手方向中央部
２b：端部
２c：幅方向中央部
２d：端部
３：植毛パターン
４：植毛パターン
５：植毛パターン
Ａ乃至Ｄ：ヘアーブラシ
【図１】
2009201650.tif 000003
【図２】
2009201650.tif 000004
【図３】
2009201650.tif 000005
【図４】
2009201650.tif 000006